(57)【要約】【課題】テープホルダーが何かにぶつかっても刃片が破傷せず、又使用しない時も使用する時も不注意によって人の指に傷害を与える可能性が全くない引き出し式かくし刃片付きテープホルダーを提供する。【解決手段】テープホルダーの本体３０の前方に押せば後に移動する押し板７０を設置し、この押し板７０に押されて刃片を固定している刃片台が下の方に移動して刃片が同時に下に突き出て、それでテープが切られる様にし、又切った後は押し板７０を押す手指を放せば弾性的に自動的に押し板７０が元の位置に戻され、それで刃片台および刃片も一緒に弾性的に本体の中の元の位置におし戻される様に構成して、刃片を使用しない時は常に本体の中にかくされ、使用する時は押し板７０を押して刃片を外に引き出せる様に構成する。【選択図】　図２
0003097780.tif 000002
【実用新案登録請求の範囲】
【請求項１】
後段部にテープ筒を支えるテープ筒支えを形成し、前端に刃片を設置している本体を持つテープホルダーにおいて、
前記本体の前段部に設けている平行の二つの側面板と、前記二つの側面板の間に上段に設置される押し板定位具と、前記押し板定位具の上に設置され前後にある距離に移動可能な押し板であって水平部および傾斜部を持つ押し板と、その傾斜部の内側面の左右にへだてて平行に設置した二つの作動斜面壁と、前記本体の前記二つの側面板の間の前記押し板の水平部の下に設置される刃片台定位具と、前記刃片台定位具の前側面に上下移動する様に設置される刃片台と、前記刃片台を自動的に元の位置に戻らせる様に設置される刃片台ばねと、前記刃片台の前側面に固定され前記刃片台と同時に移動する様に設置される刃片と、前記刃片台の上端が前記押し板の作動斜面壁と相接する様に設置される受力斜面壁とで構成され、
前記押し板が中の方に押されて移動したら、前記作動斜面壁が斜めに前記刃片台の前記受力斜面壁を押し、前記刃片台が前記刃片と共に下の方に移動し、前記刃片が外に突出して、前記テープ筒にはめているテープが引き出されて対象物に貼られた部分を切り離す様に作動することを特徴とする引き出し式かくし刃片付テープホルダー。
【請求項２】
前記押し板定位具はその前側壁面に二つの押し板さしこみ溝を持ち、前記押し板定位具の上端面の左右に二つの限位溝を持ち、前記押し板の傾斜部の内側面に中に突出して設置されて前記押し板さしこみ溝と相対する二つの押し板ガイド棒を持ち、前記押し板の水平部の後端の左右末端に設置されて前記押し板定位具の前記二つの限位溝と相対する二つの耳と、
前記押し板は前記押し板ガイド棒と前記押し板定位具の前記押し板さしこみ溝との相互はめ付けにより移動可能であり、更に前記押し板の前記耳が前記押し板定位具の前記限位溝とのはめ合いにより制限的に移動する様に構成されることを特徴とする請求項１に記載の引き出し式かくし刃片付テープホルダー。
【請求項３】
前記押し板定位具の中央部と前記押し板の前記両押し板ガイド棒とは相互に対応する二つのばね溝およびばね定位柱を各別に形成し、前記ばね溝と前記ばね定位柱との間に各押し板ばねを設置し、前記押し板をその弾性で常に外の方に押す様に構成されていることを特徴とする請求項２に記載の引き出し式かくし刃片付テープホルダー。
【請求項４】
前記刃片台定位具の中央部と前記刃片台の中央部とは各別に凹んだばね溝を持ち、各前記ばね溝はその頂縁および底縁に突出したばね定位突起を持ち、前記両ばね定位突起の間に刃片台ばねを設置し、前記刃片台ばねは常に前記刃片台を上方に押している様に構成されることを特徴とする請求項１に記載の引き出し式かくし刃片付きテープホルダー。
【請求項５】
前記本体の前記二つの側面板の下段部はそれぞれ押し板ガイド溝を持ち、前記押し板の傾斜部の両側縁の下端に各滑り突起を持ち、前記両滑り突起が前記押し板ガイド溝の中にはまってその中で前後に滑動でき、前記押し板が中に押されて移動可能となる様に構成されていることを特徴とする請求項１に記載の引き出し式かくし刃片付きテープホルダー。
【請求項６】
前記刃片台定位具の前側面にある間隔をへだてた垂直状の二つの限位溝を持ち、前記刃片台の後側面に前記二つの限位溝と相応する二つの滑り具を持ち、前記二つの滑り具が前記二つの限位溝の中にはまって上下に滑動可能であり、それで前記刃片台が前記刃片台定位具の上で制限を受けて上下に移動可能となる様に構成されていることを特徴とする請求項１に記載の引き出し式かくし刃片付きテープホルダー。
【考案の詳細な説明】
【０００１】
【考案の属する技術分野】
本考案はテープを切る刃片が平常かくされ使用する時に引き出して使用できる一種の引き出し式かくし刃片付きテープホルダーに関する。
【０００２】
【従来の技術】
従来のテープホルダー１０は図１に示すように常用されているものがあり、その構造としては主体１１と、刃片１２と、おしあげ蓋１３とで組み合せて構成されている。刃片１２は直接本体の前端下部に固定され、刃片１２はいつでも外に露出して不動式になっている。更に本体１１の後部に一体に形成されているテープ筒支え１１１があり、テープ筒２０をその上にはめ付ける。又テープ筒支え１１１の前方にテープ孔１１２を形成して、引き伸ばされるテープが通過できる様にする。おしあげ蓋１３はテープ筒支え１１１の上方に本体１と枢軸的に組み付けられ、テープ筒２０とその上にはめ付けているテープを被せて保護する。それでテープはテープ筒２０の回転により引き出されて対象物の上に貼られたら、本体１１を下に押すことにより固定の刃片１２がテープを切る。
上述の従来のテープホルダー１０の刃片１２は外に露出し固定され不動状態になっているので、刃片１２は何かにぶつかったら破損し易く、又は使用不注意により使用者の指が傷害を受ける可能性が潜在する。
【０００３】
【考案が解決しようとする課題】
それで本考案はこの欠点を改善し、テープホルダーが何かにぶつかっても刃片が破傷せず、又使用しない時も使用する時も不注意によって人の指に傷害を与える可能性が全くない一種の引き出し式かくし刃片付きテープホルダーを提供することを課題とする。
【０００４】
【課題を解決するための手段】
本考案の引き出し式かくし刃片付きテープホルダーは、テープホルダーの本体の前方に押せば後に移動する押し板を設置し、この押し板に押されて刃片を固定している刃片台が下の方に移動して刃片が同時に下に突き出て、それでテープが切られる様にする。又切った後は押し板を押す手指を放せば、弾性的に自動的に押し板が元の位置に戻され、それで刃片台および刃片も一緒に弾性的に本体の中の元の位置におし戻される様に構成して、刃片を使用しない時は常に本体の中にかくされ、使用する時は押し板を押して刃片を外に引き出せる様に構成する。
本考案の引き出し式かくし刃片付きテープホルダーはその押し板を押せば刃片が本体の中から突出し、又押し板を押す手指を放せば、刃片が自動的に中に引き戻される。
【０００５】
【考案の実施の形態】
本考案の実施例の引き出し式かくし刃片付テープホルダーは図２に示す様に、大体従来のものと同じ様な本体３０と、おしあげ蓋４０と、刃片５０とで組み合せて構成される。
本体３０はその後部にテープ筒支え３１を持ち、テープ筒をこのテープ筒支え３１にはめ付けておく。おしあげ蓋４０は本体３０のテープ筒支え３１の上方に本体３０と枢接されて、テープを付けたテープ筒を被覆して保護し、この蓋４０を下に押せば、テープ筒の回転を止められ、それでテープを切る動作を補助する。更に刃片５０は本体３０の前部の下部に組み付けられる。
【０００６】
次に図３および図４を参照する。本体３０は更に前部に平行の二つの側面板３２を持ち、この各側面板３２の内壁面に横向きの押し板ガイド溝３２１を形成し、又両側面板３２の間の上段部に押し板定位具３３とその下段部に刃片台定位具３４を設置する。次に図４に示す様に、押し板定位具３３の前側面の左右両部に各押し板さしこみ溝３３１を形成し、この両押し板さしこみ溝３３１の中間にばね溝を付ける他、更に押し板定位具３３の上表面に左右両方に各限位溝３３３を形成する。又図５に示す様に、刃片台定位具３４はその前側面左右両方に凹んだ限位溝３４１を持ち、この両限位溝３４１の中間にばね溝を設け、このばね溝３４２の底部にばね定位突起３４３を設置する。更に刃片台定位具３４の前方に止め板３５を設け、刃片台定位具３４とこの止め板３５の中間には刃片台６０および刃片口３６を設置し、刃片５０がこの刃片口３６から下に突き出られる。
【０００７】
刃片台６０は板状で、図３および図５に示す様に、刃片５０がねじ５１でその前側面に固定され、その前側面の左右両方に各滑り具６１を突出して設置し、この両滑り具６１の中間にばね溝６２を形成し、それで刃片台６０は両滑り具６１と本体３０の刃片台定位具３４の両限位溝３４１とはめ合って滑動できその位置が制限される。更に刃片台６０のばね定位突起６２１と刃片台定位具３４のばね定位突起３４３との間に刃片ばね６３を設置し、この刃片ばね６３の弾性で以って刃片５０および刃片台６０を同時に本体３０の内側にかくして保持しておく。その外刃片台６０の上端部に傾斜状の受力斜面６４を形成しておき、この受力斜面６４が押されたら刃片５０が刃片口３６から外に突き出てテープを切ることができる。
【０００８】
押し板７０は図４に示す様に、その水平部と傾斜部との連接部の中央に凹んだ押し部７１を形成し、その傾斜部の内側面に横向きのある間隔にへだてた二つの押し板ガイド棒７２を形成し、本体３０の押し板定位具３３の両押し板さしこみ溝３３１にはまって前後に移動できる。更にこの二つの押し板ガイド棒の中間にはばね定位突起７３を設け、押し板ガイド棒７２との間に押し板ばね７４を設置する。又押し板７０の傾斜部の左右両側の下端には各滑り突起７５を設けて、本体３０の両側面板３２の押し板ガイド溝３２１にはまる。同時に、押し板７０の水平部の後側面の両端には各耳７６を形成し、この両耳７６は押し板定位具３３の両限位溝３３３の上に重なり、ピン７６１で両耳７６および限位溝３３３の中にさしこまれて、押し板７０は本体３０に組み付けられる。更に押し板７０の傾斜部は両押し板ガイド棒３２の各外側に作動斜面壁７７がその内側面から中に突出させて設置され、押し板７０の押し部７１が後方に向う圧力を受けると両ばね定位突起７３が中の方にある距離に移動して両押し板ばね７４が圧縮される。それで両作動斜面壁７７は刃片台６０の頂側の受力斜面６４を押して、刃片５０が刃片台６０と一緒に下の方に移動し開き口３６から外に突出してテープを切ることができる。
【０００９】
次に本考案の実施例のテープホルダーの各構成部分の作動を説明する。図６および図７を参照する。本テープホルダーのテープを引き出して対象物に貼り付け作業を完了した時は押し板７０の押し部７１を力をかけて押すと、押し板７０と押し板定位具３３との間に設置している複数のガイド限位構造、即ち押し板ガイド棒７２、押し板さしこみ溝３３１、耳７６のピン７６１と限位溝３３３と、滑り突起７５を押し板ガイド３２１との三組み合せ構造により、押し板７０がある距離に制限されて後に移動し、押し板７０と押し板定位具３３との間に設置されている圧し板ばね７４も圧縮され、作動斜面壁７７も後に押されて刃片台６０の受力斜面６４を後に押し移動させる。そして刃片台６０と刃片定位具３４との間に設置されてる制限滑動構造、即ち滑り具６１と限位溝３４１と、刃片台ばね６３の弾性により、刃片５０は刃片台６０と一緒に下に移動して開き口３６から突出してテープを切ることができる。テープを切った後は、押し板７０にかけている手指をゆるめれば、刃片ばね６３の弾性回復力により刃片５０は刃片台６０と一緒に元の位置に戻りあがる。当然押し板７０も押し板ばね７４の弾性回復力により元の位置に帰る。それで次のテープ貼り付け切断作業を待機する。
【００１０】
【考案の効果】
本考案の引き出し式かくし刃片テープホルダーはその刃片が平常使用しない時はかくされていて、テープを貼り付けてから押し板を押してから突出してからテープを切るので非常に安全で、たとえテープホルダーが何かにぶつかっても刃片が破傷せず、又使用しない時も使用する時も不注意によって人の指に傷害を与える可能性が全くないという効果がある。
【図面の簡単な説明】
【図１】従来のテープホルダーの外観斜視図である。
【図２】本考案の一実施例による引き出し式かくし刃片付きテープホルダーを示す外観斜視図である。
【図３】本考案の一実施例による引き出し式かくし刃片付きテープホルダーを示す分解斜視図である。
【図４】本考案の一実施例による引き出し式かくし刃片付きテープホルダー中の押し板と押し板定位具との組み合せを示す外観斜視図である。
【図５】本考案の一実施例による引き出し式かくし刃片付きテープホルダー中の刃片台と刃片定位具との組み合せを示す外観斜視図である。
【図６】本考案の一実施例による引き出し式かくし刃片付きテープホルダーを示す断面図である。
【図７】本考案の一実施例による引き出し式かくし刃片付きテープホルダーの作動状況を示す断面図である。
【符号の説明】
３０　　本体
３１　　テープ筒支え
３２　　側面板
３３　　押し板定位具
３４　　刃片台定位具
３５　　止め板
３６　　刃片口
４０　　おしあげ蓋
５０　　刃片
５１　　ねじ
６０　　刃片台
６１　　滑り具
６２　　ばね溝
６３　　刃片台ばね
６４　　受力斜面
７０　　押し板
７１　　押し部
７２　　押し板ガイド棒
７３　　ばね定位柱
７４　　押し板ばね
７５　　滑り突起
７６　　耳
７７　　作動斜面壁
３２１　　押し板ガイド溝
３３１　　押し板さしこみ溝
３３２　　ばね溝
３３３　　限位溝
３４１　　限位溝
３４２　　ばね溝
３４３　　ばね定位突起
６２１　　ばね定位突起
７６１　　ピン
【図１】
0003097780.tif 000003
【図２】
0003097780.tif 000004
【図３】
0003097780.tif 000005
【図４】
0003097780.tif 000006
【図５】
0003097780.tif 000007
【図６】
0003097780.tif 000008
【図７】
0003097780.tif 000009